(57)【特許請求の範囲】
【請求項１】
山留めの物理量を測定するシステムにおいて、
測定情報生成システムと、測定実行システムと、前記測定情報生成システムから前記測定実行システムへ情報を伝達する情報伝達手段とから成り、
前記測定情報生成システムは、
所定の操作が行われたとき、操作に対応する信号を出力する第１の入力装置と、
画像を表示するための第１の表示装置と、
山留めの平面図を表す情報を、前記第１の入力装置からの前記信号にもとづいて生成する平面図情報生成手段と、
前記山留めの平面図上における測定地点を表す情報を、前記第１の入力装置からの前記信号にもとづいて生成する測定地点情報生成手段と、
取得すべき山留めの物理量の種類を表す情報を測定項目情報として、前記測定地点ごとに、前記第１の入力装置からの前記信号にもとづいて生成する測定項目情報生成手段と、
前記測定地点のそれぞれに配置した各測定器からの測定データより前記物理量を求めるために用いる処理情報を、前記第１の入力装置からの前記信号にもとづいて生成する処理情報生成手段と、
前記各情報生成手段が生成した各情報を所定の形式で保持する第１の情報保持手段と、
前記情報生成手段のそれぞれを、前記第１の入力装置からの前記信号にもとづいて起動する制御手段とを備え、
前記情報伝達手段は、前記第１の情報保持手段が保持する情報を前記測定実行システムに伝達し、
前記測定実行システムは、
所定の操作が行われたとき、操作に対応する信号を出力する第２の入力装置と、
画像を表示するための第２の表示装置と、
前記情報伝達手段によって伝達された情報を保持する第２の情報保持手段と、
山留めの各地点に設置された各測定器から測定データを収集する測定データ収集手段と、
前記第２の情報保持手段が保持している前記処理情報を用いて、前記測定データ収集手段が集めた前記測定データより前記物理量を求める物理量取得手段と、
この物理量取得手段が求めた前記物理量を所定の形式で保持する第３の情報保持手段と、
前記第２の情報保持手段が保持している前記平面図情報を用いて、前記山留めの平面図を前記第２の表示装置に表示する平面図表示手段と、
前記第２の情報保持手段が保持している前記測定地点情報および前記測定項目情報を用いて、前記表示装置に表示された前記平面図に重ねて、前記測定地点情報が示す位置に、前記測定項目情報が示す物理量の種類を表す所定形態の位置表示画像を、前記第２の表示装置に表示する測定地点表示手段と、
前記第２の入力装置の操作によって、前記第２の表示装置に表示された前記位置表示画像のいずれかが指定されたとき、指定された位置表示画像に対応する物理量を前記第３の情報保持手段から取り出し、前記第２の表示装置に所定の形式で表示する物理量表示手段と，
を備えたことを特徴とする山留め測定データ処理システム。
【請求項２】
前記取得すべき山留めの物理量の種類には、山留め壁の変形量、山留め壁の応力、山留め壁に作用する土圧、山留め壁に作用する水圧、切梁の軸力、アンカー張力、鉄筋の応力、支柱の軸力、杭の軸力、温度、水位、リバンド、周辺構造物の沈下、傾斜のうちのすくなくとも１つが含まれる請求項１記載の山留め測定データ処理システム。
【請求項３】
前記処理情報生成手段は、前記物理量に関する演算処理の内容に係わる情報を、前記第１の入力装置からの前記信号にもとづいて生成する演算処理情報生成手段を含んでいる請求項１記載の山留め測定データ処理システム。
【請求項４】
前記処理情報生成手段は、各測定器からの測定データより前記物理量を算出するための数値情報を、前記第１の入力装置からの前記信号にもとづいて生成する数値情報生成手段を含んでいる請求項１記載の山留め測定データ処理システム。
【請求項５】
前記処理情報生成手段は、山留めの断面に関する情報を、前記測定地点ごとに、前記第１の入力装置からの前記信号にもとづいて生成する断面情報生成手段を含んでいる請求項１記載の山留め測定データ処理システム。
【請求項６】
前記物理量に関する演算処理の内容に係わる前記情報には、
山留め壁の変形量を求めるとき、埋設型傾斜計および挿入式傾斜計のいずれによる測定データを用いるかを指定する情報と、頭部補正を行うか否かを指定する情報と、スプライン近似を用いて変形分布を計算するか否かを指定する情報と、
山留め壁に作用する応力を求めるとき、モーメントを山留め壁の変形量から計算するか、ひずみ計または鉄筋計による測定データから計算するか、歪み計および鉄筋計による測定データから計算するか、あるいはモーメントを計算しないかのいずれであるかを指定する情報と、山留め壁に作用する応力を求めるときに使用する、山留め壁に鋼材が用いられている場合の、芯材のピッチと深度に関する情報と、鉄筋計を用いた場合の鉄筋の幅と壁厚に関する情報と、
山留め壁に作用する土圧と水圧との和を計算するか否かを指示する情報と、
切梁の軸力を求めるとき、切梁の曲げを計算するか否かを指示する情報と、
測定器の不良が発生していた場合、
山留め壁の変形分布を求めるとき、不良となった傾斜計の値の代りに上下の傾斜計の値の平均値を用いるか、あるいはこの位置の変形を計算しないかを指定する情報と、
山留め壁の応力分布を求めるとき、不良となった歪み計または鉄筋計の測定データの代りに、反対側に設置された測定器の測定データを、その符号を変えて用いるか、あるいは応力分布を計算しないかを指定する情報とのうちの少なくとも１つが含まれる請求項３記載の山留め測定データ処理システム。
【請求項７】
前記数値情報には、測定器の識別番号、前記測定データに乗じる校正係数、前記測定データから減算する初期値、前記校正係数あるいは前記初期値を測定の途中で変更する場合の、その直前の物理量の値である盛り替え値、地中に設置する測定器の地面からの深度、切梁の軸力を測定するための測定器の設置段数、グループ化した測定器のグループ識別番号、山留めを構成する鋼材の断面積、ＲＣ構造の山留め壁あるいは切梁を構成する鉄筋の、単位幅当たりあるいは指定断面積当たりの配筋量、ＲＣ構造の山留め壁を構成する鉄筋のヤング係数比、ＲＣ構造の山留め壁を構成するコンクリートの許容引っ張り強度のうちの少なくとも１つが含まれる請求項４記載の山留め測定データ処理システム。
【請求項８】
前記山留めの断面に関する情報には、断面の名称、山留め工法の種類、山留め壁の長さ、最終床付け高、地下階数、切梁段数のうちのすくなくとも１つが含まれることを特徴とする請求項５記載の山留め測定データ処理システム。
【請求項９】
前記測定情報生成システムはさらに、取得すべき前記物理量の管理値に関する情報を、前記第１の入力装置からの前記信号にもとづいて生成する管理値情報生成手段を含み、前記第１の情報保持手段はさらに、この管理値情報生成手段が生成した前記管理値情報を所定の形式で保持し、
前記測定実行システムがさらに、前記第３の情報保持手段が保持している前記物理量と、前記第２の情報保持手段が保持している前記管理値情報とを比較する物理量比較手段と、
この物理量比較手段による比較結果にもとづいて、前記測定地点表示手段が前記第２の表示装置に表示した前記物理量を表す所定形態の位置表示画像の、少なくとも一部分の色付けを、前記第２の表示装置において行う管理状態表示手段とを備えたことを特徴とする請求項１記載の山留め測定データ処理システム。
【請求項１０】
前記平面図情報生成手段、前記測定地点情報生成手段、前記測定項目情報生成手段、ならびに前記処理情報生成手段のうちの少なくとも１つのは、前記第１の入力装置に対する操作を促すための、文字を含む画像を前記第１の表示装置に表示する請求項１記載の山留め測定データ処理システム。
【請求項１１】
前記管理値情報生成手段は、前記第１の入力装置に対する操作を促すための、文字を含む画像を前記第１の表示装置に表示する請求項９記載の山留め測定データ処理システム。
【請求項１２】
前記測定情報生成システムおよび前記測定実行システムはコンピュータによって構成されている請求項１記載の山留め測定データ処理システム。
【請求項１３】
前記情報伝達手段は、フロッピーディスクを含む請求項１記載の山留め測定データ処理システム。
【請求項１４】
前記情報伝達手段は、通信回線を含む請求項１記載の山留め測定データ処理システム。
【請求項１５】
前記入力装置はキーボードおよびマウスのいずれか一方または両方を含む請求項１記載の山留め測定データ処理システム。
【請求項１６】
前記表示装置はＣＲＴモニターである請求項１記載の山留め測定データ処理システム。
【発明の詳細な説明】
【０００１】
【産業上の利用分野】
本発明は山留め工事に伴い、山留めおよび山留め周辺に発生する各種の物理量を測定するシステムに関するものである。
【０００２】
【従来の技術】
地下に構造物を建設する場合、地盤の掘削に伴う地山の崩壊を防止するため、山留め壁を構築する。すなわち、地盤掘削の壁部に沿って山留め壁が施工され、また土圧に抗するため、対向する山留め壁の間には適切な間隔で切梁が架け渡される。この種の山留めはビル建設に限らず、さまざまな建設工事や土木工事において施工される。
【０００３】
そして、このような山留めでは、安全性を確保するため、また山留め工事の経済性を確保するため、山留めに対して種々の物理的な測定を行い、測定結果にもとづいて山留めの現状を確認し、管理が行われている。山留めに対する測定は、山留め壁の変形、山留め壁に作用する土圧や水圧、切梁の軸力あるいは周辺地盤、建物の状況の把握などさまざまであり、また測定地点も山留めの規模によっては非常に多数となる。そこで、山留めの測定および管理を効率良く、かつ的確に行うため、コンピュータが用いられている。
【０００４】
すなわち、山留めの各部に設置した種々の測定器がコンピュータに接続され、コンピュータによって測定データが収集される。そして、コンピュータによって、測定データから山留めの状態を表す種々の物理量が算出され、算出結果がグラフや表の形でＣＲＴモニタなどに表示される。管理者は、この表示を見ることによって、効率良く、かつ的確に山留めの現状を把握し、管理することができる。
【０００５】
【発明が解決しようとする課題】
ところで、建設工事現場は１つとして同一のものはなく、従って、山留めの形態も各工事現場ごとに異なっている。そのため、上述のようなコンピュータを用いた山留め測定データ処理システムの場合、従来は、コンピュータを動作させるためのプログラムを工事現場ごとに、山留形状、測定内容に合わせて作成あるいは修正していた。このようなプログラムの作成あるいは修正は非常に時間のかかる作業であり、しかもプログラミングの知識を有する者しか行うことができない。
【０００６】
本発明の目的は、このような問題を解決し、プログラミングの知識を持たない者でも、短時間で、任意の山留めに適合させることができる山留め測定データ処理システムを提供することにある。
【０００７】
【課題を解決するための手段】
本発明は上記目的を達成するため、山留めの物理量を測定するシステムにおいて、測定情報生成システムと、測定実行システムと、前記測定情報生成システムから前記測定実行システムへ情報を伝達する情報伝達手段とから成り、前記測定情報生成システムは、所定の操作が行われたとき、操作に対応する信号を出力する第１の入力装置と、画像を表示するための第１の表示装置と、山留めの平面図を表す情報を、前記第１の入力装置からの前記信号にもとづいて生成する平面図情報生成手段と、前記山留めの平面図上における測定地点を表す情報を、前記第１の入力装置からの前記信号にもとづいて生成する測定地点情報生成手段と、取得すべき山留めの物理量の種類を表す情報を測定項目情報として、前記測定地点ごとに、前記第１の入力装置からの前記信号にもとづいて生成する測定項目情報生成手段と、前記測定地点のそれぞれに配置した各測定器からの測定データより前記物理量を求めるために用いる処理情報を、前記第１の入力装置からの前記信号にもとづいて生成する処理情報生成手段と、前記各情報生成手段が生成した各情報を所定の形式で保持する第１の情報保持手段と、前記情報生成手段のそれぞれを、前記第１の入力装置からの前記信号にもとづいて起動する制御手段とを備え、前記情報伝達手段は、前記第１の情報保持手段が保持する情報を前記測定実行システムに伝達し、前記測定実行システムは、所定の操作が行われたとき、操作に対応する信号を出力する第２の入力装置と、画像を表示するための第２の表示装置と、前記情報伝達手段によって伝達された情報を保持する第２の情報保持手段と、山留めの各地点に設置された各測定器から測定データを収集する測定データ収集手段と、前記第２の情報保持手段が保持している前記処理情報を用いて、前記測定データ収集手段が集めた前記測定データより前記物理量を求める物理量取得手段と、この物理量取得手段が求めた前記物理量を所定の形式で保持する第３の情報保持手段と、前記第２の情報保持手段が保持している前記平面図情報を用いて、前記山留めの平面図を前記第２の表示装置に表示する平面図表示手段と、前記第２の情報保持手段が保持している前記測定地点情報および前記測定項目情報を用いて、前記表示装置に表示された前記平面図に重ねて、前記測定地点情報が示す位置に、前記測定項目情報が示す物理量の種類を表す所定形態の位置表示画像を、前記第２の表示装置に表示する測定地点表示手段と、前記第２の入力装置の操作によって、前記第２の表示装置に表示された前記位置表示画像のいずれかが指定されたとき、指定された位置表示画像に対応する物理量を前記第３の情報保持手段から取り出し、前記第２の表示装置に所定の形式で表示する物理量表示手段とを備えたことを特徴とする。
【０００８】
本発明はまた、前記取得すべき山留めの物理量の種類には、山留め壁の変形量、山留め壁の応力、山留め壁に作用する土圧、山留め壁に作用する水圧、切梁の軸力、アンカー張力、鉄筋の応力、支柱の軸力、杭の軸力、温度、水位、リバンド、周辺構造物の沈下、傾斜のうちのすくなくとも１つが含まれることを特徴とする。
【０００９】
本発明はまた、前記処理情報生成手段が、前記物理量に関する演算処理の内容に係わる情報を、前記第１の入力装置からの前記信号にもとづいて生成する演算処理情報生成手段を含んでいることを特徴とする。
本発明はまた、前記処理情報生成手段が、各測定器からの測定データより前記物理量を算出するための数値情報を、前記第１の入力装置からの前記信号にもとづいて生成する数値情報生成手段を含んでいることを特徴とする。
本発明はまた、前記処理情報生成手段が、山留めの断面に関する情報を、前記測定地点ごとに、前記第１の入力装置からの前記信号にもとづいて生成する断面情報生成手段を含んでいることを特徴とする。
【００１０】
本発明はまた、前記物理量に関する演算処理の内容に係わる前記情報には、山留め壁の変形量を求めるとき、埋設型傾斜計および挿入式傾斜計のいずれによる測定データを用いるかを指定する情報と、頭部補正を行うか否かを指定する情報と、スプライン近似を用いて変形分布を計算するか否かを指定する情報と、山留め壁に作用する応力を求めるとき、モーメントを山留め壁の変形量から計算するか、ひずみ計または鉄筋計による測定データから計算するか、歪み計および鉄筋計による測定データから計算するか、あるいはモーメントを計算しないかのいずれであるかを指定する情報と、山留め壁に作用する応力を求めるときに使用する、山留め壁に鋼材が用いられている場合の、芯材のピッチと深度に関する情報と、鉄筋計を用いた場合の鉄筋の幅と壁厚に関する情報と、山留め壁に作用する土圧と水圧との和を計算するか否かを指示する情報と、切梁の軸力を求めるとき、切梁の曲げを計算するか否かを指示する情報と、測定器の不良が発生していた場合、山留め壁の変形分布を求めるとき、不良となった傾斜計の値の代りに上下の傾斜計の値の平均値を用いるか、あるいはこの位置の変形を計算しないかを指定する情報と、山留め壁の応力分布を求めるとき、不良となった歪み計または鉄筋計の測定データの代りに、反対側に設置された測定器の測定データを、その符号を変えて用いるか、あるいは応力分布を計算しないかを指定する情報とのうちの少なくとも１つが含まれることを特徴とする。
【００１１】
本発明はまた、前記数値情報には、測定器の識別番号、前記測定データに乗じる校正係数、前記測定データから減算する初期値、前記校正係数あるいは前記初期値を測定の途中で変更する場合の、その直前の物理量の値である盛り替え値、地中に設置する測定器の地面からの深度、切梁の軸力を測定するための測定器の設置段数、グループ化した測定器のグループ識別番号、山留めを構成する鋼材の断面積、ＲＣ構造の山留め壁あるいは切梁を構成する鉄筋の、単位幅当たりあるいは指定断面積当たりの配筋量、ＲＣ構造の山留め壁を構成する鉄筋のヤング係数比、ＲＣ構造の山留め壁を構成するコンクリートの許容引っ張り強度のうちの少なくとも１つが含まれることを特徴とする。
【００１２】
本発明はまた、前記山留めの断面に関する情報には、断面の名称、山留め工法の種類、山留め壁の長さ、最終床付け高、地下階数、切梁段数のうちのすくなくとも１つが含まれることを特徴とする。
【００１３】
本発明はまた、前記測定情報生成システムがさらに、取得すべき前記物理量の管理値に関する情報を、前記第１の入力装置からの前記信号にもとづいて生成する管理値情報生成手段を含み、前記第１の情報保持手段はさらに、この管理値情報生成手段が生成した前記管理値情報を所定の形式で保持し、前記測定実行システムがさらに、前記第３の情報保持手段が保持している前記物理量と、前記第２の情報保持手段が保持している前記管理値情報とを比較する物理量比較手段と、この物理量比較手段による比較結果にもとづいて、前記測定地点表示手段が前記第２の表示装置に表示した前記物理量を表す所定形態の位置表示画像の、少なくとも一部分の色付けを、前記第２の表示装置において行う管理状態表示手段とを備えたことを特徴とする。
【００１４】
本発明はまた、前記平面図情報生成手段、前記測定地点情報生成手段、前記測定項目情報生成手段、ならびに前記処理情報生成手段のうちの少なくとも１つの、が前記第１の入力装置に対する操作を促すための、文字を含む画像を前記第１の表示装置に表示することを特徴とする。
本発明はまた、前記管理値情報生成手段が、前記第１の入力装置に対する操作を促すための、文字を含む画像を前記第１の表示装置に表示することを特徴とする。
【００１５】
本発明はまた、前記測定情報生成システムおよび前記測定実行システムがコンピュータによって構成されていることを特徴とする。
本発明はまた、前記情報伝達手段が、フロッピーディスクを含むことを特徴とする。
本発明はまた、前記情報伝達手段が、通信回線を含むことを特徴とする。
本発明はまた、前記入力装置がキーボードおよびマウスのいずれか一方または両方を含むことを特徴とする。
本発明はまた、前記表示装置がＣＲＴモニターであることを特徴とする。
【００１６】
【作用】
測定情報生成システムは、山留めの物理量を測定するために必要な種々の情報を、第１の入力装置に対して行われた操作にもとづいて生成する。そのため第１の制御手段は各情報生成手段を順次起動し、まず平面図情報生成手段は、山留めの平面図を表す情報を、第１の入力装置からの信号にもとづいて生成する。そして、測定地点情報生成手段は、上記山留めの平面図上における測定地点を表す情報を、第１の入力装置からの前記信号にもとづいて生成し、一方、測定項目情報生成手段は、取得すべき物理量の種類の情報を測定項目情報として、測定地点ごとに、第１の入力装置からの信号にもとづいて生成する。また、処理情報生成手段は、測定地点のそれぞれに配置した各測定器からの測定データより物理量を求めるために用いる処理情報を、第１の入力装置からの信号にもとづいて生成する。
第１の情報保持手段は、各情報生成手段が生成したこれら平面図情報、測定地点情報、測定項目情報、ならびに処理情報を所定の形式で保持する。この第１の情報保持手段が保持している情報は、情報伝達手段を通じて測定実行システムの第２の情報保持手段に渡される。
【００１７】
測定実行システムは、この第２の情報保持手段が保持する情報にもとづいて、山留めの状態を表す物理量を取得する。そのため、第２の制御手段は各部を起動し、まず測定データ収集手段は、山留めの各地点に設置された各測定器から測定データを収集し、物理量取得手段は、第２の情報保持手段が保持している処理情報を用いて、測定データ収集手段が集めた測定データより物理量を求める。第３の情報保持手段は、この物理量取得手段が求めた物理量を所定の形式で保持する。
一方、平面図表示手段は、第２の情報保持手段が保持している平面図情報を用いて、山留めの平面図を第２の表示装置に表示し、測定地点表示手段は、第２の情報保持手段が保持している測定地点情報および測定項目情報を用いて、第２の表示装置に表示された平面図に重ねて、測定地点情報が示す位置に、測定項目情報が示す物理量の種類を表す所定形態の位置表示画像を、第２の表示装置に表示する。
そして、物理量表示手段は、第２の入力装置の操作によって、第２の表示装置に表示された位置表示画像のいずれかが指定されたとき、指定された位置表示画像に対応する物理量を第３の情報保持手段から取り出し、第２の表示装置に所定の形式で表示する。
【００１８】
また、測定情報生成システムの管理値情報生成手段は、取得すべき物理量の管理値に関する情報を、第１の入力装置からの前記信号にもとづいて生成し、第１の情報保持手段は、この管理値情報生成手段が生成した管理値情報を所定の形式で保持する。そして、測定実行システムの物理量比較手段は、第３の情報保持手段が保持している物理量と、第２の情報保持手段が保持している管理値情報とを比較し、管理状態表示手段は、この物理量比較手段による比較結果にもとづいて、測定地点表示手段が第２の表示装置に表示した物理量を表す所定形態の位置表示画像の、少なくとも一部分の色付けを行う。
【００１９】
【実施例】
次に本発明の実施例について説明する。図１は本発明による山留め測定データ処理システムの一例を示す機能ブロック図である。
この山留め測定データ処理システムは、測定情報生成システム２と、測定実行システム４とから成り、システム２からシステム４へは、情報伝達手段であるフロッピーディスク６を介して情報が伝達される。測定情報生成システム２は山留めの物理量の測定に必要な各種の情報を、操作者の操作に従って生成するためのシステムであり、測定実行システム４は、システム２が生成した情報にもとづいて実際に山留めの測定を行うシステムである。測定情報生成システム２および測定実行システム４はそれぞれ１台のパーソナル・コンピュータによって構成されている。
【００２０】
まず、測定情報生成システム２の各部について説明する。
第１の入力装置２０２は、キーボード２０２ａおよびマウス２０２ｂから成り、それらに対して所定の操作が行われたとき、操作に対応する信号を出力する。第１の表示装置２０４は、ＣＲＴモニタから成り、操作者に操作を促すための種々の情報や、測定に必要な種々の情報の生成結果を表示するために用いられる。
第１の情報保持手段２１８はハードディスク装置からなり、測定情報生成システム２において生成された種々の情報を蓄積保持する。
現場情報生成手段２０６は、入力装置２０２のキーボードにおいて、現場名、計測担当者、事務所の電話番号およびファックス番号、ならびに測定期間の入力操作が行われたとき、それらの信号を入力装置２０２から受け取り、対応する情報を生成して所定の形式で第１の情報保持手段２１８に格納する。現場情報生成手段２０６はこのとき、上記情報の入力を促す情報を第１の表示装置２０４に表示する。
【００２１】
平面図情報生成手段２０８は、入力装置２０２の主にマウス２０２ｂに対する操作にもとづいて、従ってマウス２０２ｂからの信号にもとづいて、山留めの平面図を表す情報を生成し、所定の形式で第１の情報保持手段２１８に格納する。平面図情報生成手段２０８はこのとき、表示装置２０４の画面の所定位置に、図面作成のためのツールバーを表示し、操作者が必要なツールのアイコン位置にマウス２０２ｂのカーソルを合わせ、マウス・ボタンをクリックすることにより、直線や曲線を描画できるようにしたり、また描画した図形を修正できるようにする。このような図面の描画、および図面情報の生成については、従来から広く行われていて既知であるため、さらに詳しい説明は省略する。
【００２２】
測定項目情報生成手段２１２は、山留めの状態を表す、取得すべき物理量の種類、すなわち測定項目の情報を、入力装置２０２で行われた操作によって入力装置２０２が出力する信号に従って生成し、所定の形式で情報保持手段２１８に格納する。測定項目情報生成手段２１２はその際、表示装置２０４に、選択できる測定項目の表を表示させ、操作者がマウス２０２ｂを操作して、マウス・カーソルを、表示された測定項目の位置に合わせ、マウス・ボタンをクリックしたとき、その測定項目が選択されたとして、対応する情報を情報保持手段２１８に格納し、またその情報を次に説明する測定地点情報生成手段２１０に渡す。上記表に含まれる測定項目は、本実施例では、山留め壁の変形量、山留め壁の応力、山留め壁に作用する土圧、山留め壁に作用する水圧、切梁の軸力、アンカー張力、鉄筋の応力、支柱の軸力、杭の軸力、温度、水位、リバンド、周辺構造物の沈下、傾斜の１４項目である。
【００２３】
測定地点情報生成手段２１０は、平面図情報生成手段２０８によってその情報が生成された平面図上で、どの地点に測定器を設置するかを示す情報を、入力装置２０２で行われた操作にもとづいて生成し、所定の形式で情報２１８に格納する。測定地点情報生成手段２１０はこのとき、平面図情報生成手段２０８が生成した平面図情報を情報保持手段２１８から取り出し、その情報にもとづいて表示装置２０４に山留めの平面図を表示する。操作者はマウス２０２ｂを操作し、この平面図上の、測定器を設置すべき位置にマウス・カーソルを移動させ、マウス・ボタンを押下して測定器の設置位置を指定する。測定地点情報生成手段２１０はさらに、測定項目情報生成手段２１２から受け取った物理量の種類を表す情報により、図面上の指定された測定器の設置位置に、物理量を表す略称を含む所定の図形を、表示装置２０４に表示する。
【００２４】
処理情報生成手段２１４は、演算処理情報生成手段２１４２と、数値情報生成手段２１４４と、断面情報生成手段２１４６とによって構成されている。
演算処理情報生成手段２１４２は、山留めの物理量に関する演算処理の内容に係わる情報を、入力装置２０２で行われた操作にもとづいて生成し、情報保持手段２１８に格納する。演算処理情報生成手段２１４２はこのとき、操作者に対して入力操作を促すための、文字を含む画像情報を表示装置２０４に表示する。上記演算処理の内容に係わる情報には、以下の（１）〜（１０）の情報が含まれている。
（１）山留め壁の変形量を求めるとき、埋設型傾斜計と挿入式傾斜計のいずれによる測定データを用いるかを指定する情報
（２）山留め壁の変形量を求めるとき、頭部補正を行うか否かを指定する情報
（３）山留め壁の変形量を求めるとき、スプライン近似を用いて変形分布を計算するか否かを指定する情報
（４）山留め壁に作用する応力を求めるとき、モーメントを山留め壁の変形量から計算するか、ひずみ計または鉄筋計による測定データから計算するか、歪み計および鉄筋計による測定データから計算するか、あるいはモーメントを計算しないかのいずれであるかを指定する情報
（５）山留め壁に作用する応力を求めるとき使用する、山留め壁に鋼材が用いられている場合の、芯材のピッチと深度に関する情報
（６）山留め壁に作用する応力を求めるとき使用する、鉄筋計を用いた場合の鉄筋の幅と壁厚に関する情報
（７）山留め壁に作用する土圧と水圧との和を計算するか否かを指示する情報
（８）切梁の軸力を求めるとき、切梁の曲げを計算するか否かを指示する情報
（９）測定器の不良が発生していた場合、山留め壁の変形分布を求めるとき、不良となった傾斜計の値の代りに上下の傾斜計の値の平均値を用いるか、あるいはこの位置の変形を計算しないかを指定する情報
（１０）測定器の不良が発生していた場合、山留め壁の応力分布を求めるとき、不良となった歪み計または鉄筋計の測定データの代りに、反対側に設置された測定器の測定データを、その符号を変えて用いるか、あるいは応力分布を計算しないかを指定する情報
【００２５】
数値情報生成手段２１４４は、各測定器からの測定データより山留めの物理量を算出するための数値情報を、入力装置２０２で行われた操作にもとづいて生成し、情報保持手段２１８に格納する。数値情報生成手段２１４４はこのとき、操作者に対して入力操作を促すための、文字を含む画像情報を表示装置２０４に表示する。上記数値情報には次の（１）〜（１１）が含まれている。
（１）測定器の識別番号
（２）測定データに乗じる校正係数
（３）測定データから減算する初期値
（４）盛り替え値
（５）地中に設置する測定器の地面からの深度
（６）切梁の軸力を測定するための測定器の設置段数
（７）グループ化した測定器のグループ識別番号
（８）山留めを構成する鋼材の断面積
（９）ＲＣ構造の山留め壁あるいは切梁を構成する鉄筋の、単位幅当たりあるいは指定断面積当たりの配筋量
（１０）ＲＣ構造の山留め壁を構成する鉄筋のヤング係数比
（１１）ＲＣ構造の山留め壁を構成するコンクリートの許容引っ張り強度
なお、盛り替え値とは、校正係数あるいは初期値を測定の途中で変更する場合、その直前の物理量の値のことである。また、物理量は次式によって計算される。
【数１】
物理量  ＝（測定データ  −  初期値）×  校正係数  ＋  盛り替え
また、項目（５）中の、地中に設置する測定器には、埋設型傾斜計、土圧計、間隙水圧計、鉄筋計、歪み計、リバンド計などが含まれる。項目（８）の断面積は、鋼材の歪み量から軸力を求めるために用いるものであり、軸力は歪み量と断面積との積によって求められる。項目（９）、（１０）、（１１）の配筋量、ヤング係数比、引っ張り強度は、山留めがＲＣ構造である場合、山留め壁や切梁などの鉄筋の軸力およびモーメントを求めるときに用いるものである。
【００２６】
断面情報生成手段２１４６は、山留めの断面に関する情報を、測定地点ごとに入力装置２０２で行われた操作にもとづいて生成し、情報保持手段２１８に格納する。断面情報生成手段２１４６はこのとき、操作者に対して入力操作を促すための、文字を含む画像情報を表示装置２０４に表示する。上記断面情報には、次の（１）〜（６）が含まれている。
（１）断面の名称
（２）山留め工法の種類
（３）山留め壁の長さ
（４）最終床付け高
（５）地下階数
（６）切梁段数
【００２７】
管理値情報生成手段２１６は、山留めの物理量の管理値を、入力装置２０２で行われた操作にもとづいて生成し、情報保持手段２１８に格納する。管理値情報生成手段２１６はその際、管理値の入力操作を促す、文字を含む画像を表示装置２０４に表示する。この管理値は、測定実行システム４において、山留めの物理量が異常か否かを判断する基準として用いられる。
【００２８】
第１の制御手段２２０は、入力装置２０２で行われた操作に従って、上述した各情報生成手段を制御し、必要なタイミングで起動したり、また所定情報を表示装置２０４に表示する。
【００２９】
次に、測定実行システム４の各部について説明する。
第２の入力装置４０２は、キーボード４０２ａおよびマウス４０２ｂから成り、それらに対して所定の操作が行われたとき、操作に対応する信号を出力する。第２の表示装置４０４は、ＣＲＴモニタから成り、操作者に操作を促すための種々の情報や、測定結果を表示するために用いられる。
【００３０】
第２の情報保持手段４０６および第３の情報保持手段４１２はハードディスク装置からなり、それぞれ測定情報生成システム２において生成された種々の情報および測定実行システム４において求めた山留めの物理量を蓄積保持する。
測定データ収集手段４０８は、山留めの各部に設置された測定器に電気的に接続されており、各測定器からその測定データを収集する。
物理量取得手段４１０は、測定データ収集手段４０８が集めた測定データより山留めの物理量を求め、結果を第３の情報保持手段４１２に所定の形式で格納する。物理量取得手段４１０は、第２の情報保持手段４０６が保持している処理情報などを用いて物理量を求める。
【００３１】
平面図表示手段４１４は、情報保持手段４０６が保持している平面図情報を用いて、山留めの平面図を第２の表示装置４０４に表示する。
測定地点表示手段４１６は、情報保持手段４０６が保持している測定地点情報および測定項目情報を用いて、表示装置４０４に表示された山留めの平面図に重ねて、測定地点情報が示す位置に、測定項目情報が示す物理量を表す、略称を含む所定の位置表示画像を表示する。
物理量表示手段４１８は、第２の入力装置４０２のマウス４０２ｂの操作によって、第２の表示装置４０４に表示された上記位置表示画像のいずれかが指定されたとき、指定された位置表示画像に対応する物理量を第３の情報保持手段４１２から取り出し、表示装置４０４に所定の形式で表示する。
【００３２】
物理量比較手段４２０は、山留めの状態を表す各物理量が、各物理量の管理値を基準として異常か否かを判断するため、第３の情報保持手段が保持している各物理量と、第２の情報保持手段が保持している、対応する管理値とを比較する。
【００３３】
管理状態表示手段４２２は、物理量比較手段４２０による比較結果にもとづいて、測定地点表示手段４１６が第２の表示装置４０４に表示した位置表示画像の色を決める。そして、物理量の値が異常であった場合には赤とし、正常であった場合には緑とする。
第２の制御手段４２４は、測定実行システムの各部を制御し、また、必要な情報を表示装置４０４に表示する。
【００３４】
次に、このような構成の山留め測定データ処理システムの動作について説明する。まず、測定情報生成システム２の動作を説明する。
システムが起動されると、第１の制御手段２２０はまず測定情報生成システムが起動されたことを示す所定の画像を表示装置２０４に表示し、そして現場情報生成手段２０６を起動する。これにより現場情報生成手段２０６は、入力装置２０２のキーボード４０２ａにおいて、現場名、計測担当者、事務所の電話番号およびファックス番号、ならびに測定期間の入力を促す、文字を含む画像を表示装置２０４に表示する。操作者はこの表示に従って上記情報を順次、入力装置２０２のキーボードより入力する。入力装置２０２はこの操作に対応する信号を出力し、現場情報生成手段２０６はそれらの信号を入力装置２０２から受け取り、対応する情報を生成して所定の形式で第１の情報保持手段２１８に格納する。
【００３５】
制御手段２２０は、入力装置２０２で現場情報生成を終了したことを示す所定の操作が行われると、次に平面図情報生成手段２０８を起動する。起動された平面図情報生成手段２０８は、表示装置２０４の画面の所定位置に、図面作成のためのツールバーを表示して入力装置２０２を構成するマウス４０２ｂからの信号を監視する。そして、操作者が必要なツールのアイコン位置にマウスのカーソルを合わせ、マウス・ボタンをクリックしたり、あるいは画面上の描画位置にマウス・カーソルを移動してマウス・ボタンをクリックするといった操作を行ったとき、その操作に応じて直線や曲線を表示装置２０４の画面に表示し、また表示されている図形を修正する。同時に、表示した図形の情報を山留めの平面図を表す情報として、所定の形式で第１の情報保持手段２１８に格納する。このとき表示装置２０４に表示される山留めの平面図の一例を図２に示す。この図は表示装置２０４の画面を表し、２つのウインドウＷ１、Ｗ２がオープンされているが、ウインドウＷ１内に表示されているのが山留めの平面図である。例えば、５０１、５０２が山留め壁を表し、５０３、５０４が切梁を表している。
【００３６】
入力装置２０２において山留めの平面図情報の生成終了を示す操作が行われると、制御手段２２０は次に測定地点情報生成手段２１０および測定項目情報生成手段２１２を起動する。その結果、まず測定項目情報生成手段２１２は選択できる測定項目の表を表示装置２０４に表示する。この表は図３のウインドウＷ２内のようなものとなる。図３は図２と同様、表示装置２０４の画面を示す図である。表に含まれる測定項目は、本実施例では、山留め壁の変形量、山留め壁の応力、山留め壁に作用する土圧、山留め壁に作用する水圧、切梁の軸力、アンカー張力、鉄筋の応力、支柱の軸力、杭の軸力、温度、水位、リバンド、周辺構造物の沈下、傾斜の１４項目である。
【００３７】
操作者がマウスを操作して、マウス・カーソルを、表示された測定項目の位置に合わせ、マウス・ボタンをクリックすると、測定項目情報生成手段２１２は、その測定項目が選択されたとして、対応する情報を情報保持手段２１８に格納し、またその情報を測定地点情報生成手段２１０に渡す。
【００３８】
測定地点情報生成手段２１０は、平面図情報生成手段２０８によってその情報が生成された平面図上で、どの地点に測定器を設置するかを示す情報を、入力装置２０２で行われた操作にもとづいて生成し、所定の形式で情報２１８に格納する。そのため、測定地点情報生成手段２１０はまず、平面図情報生成手段２０８が生成した平面図情報を情報保持手段２１８から取り出し、その情報にもとづいて、図３に示すように、表示装置２０４の画面上にオープンされたウインドウＷ１の領域に山留めの平面図を表示する。
【００３９】
操作者はマウスを操作し、この平面図上の、測定器を設置すべき位置にマウス・カーソルを移動させ、マウス・ボタンを押下して測定器の設置位置を指定する。測定地点情報生成手段２１０はさらに、測定項目情報生成手段２１２から受け取った物理量の種類を表す情報により、図面上の指定された測定器の設置位置に、物理量を表す略称を含む所定の図形、すなわち、ＡＮ−１やＨＥ−３などの略称を含む小長方形の位置表示画像５１０を表示する。なお、図３において、ＡＮはアンカーの張力、ＨＥは山留めの変位、ＫＩは切梁の軸力を表す略称である。測定地点情報生成手段２１０はこのような表示を行うと同時に、測定地点の情報を所定の形式で情報保持手段２１８に格納する。
【００４０】
測定地点および測定項目の情報生成が終ると、制御手段２２０は次に断面情報生成手段２１４６を起動する。その結果、断面情報生成手段２１４６は、山留めの断面に関する情報を、測定地点ごとに、入力装置２０２で行われる操作にもとづいて生成し、情報保持手段２１８に格納する。
【００４１】
具体的には、断面情報生成手段２１４６は、操作者に対して入力操作を促すための、文字を含む画像情報を表示装置２０４に表示する。例えば、図４に示すように、表示装置２０４の画面に新たなウインドウＷ３をオープンする。操作者はキーボード２０２ａを操作してカーソルＣ１を移動し、キーボード２０２ａを操作して、断面の名称や、山留め工法の種類や、最終床付け高など、上述した６種類の断面情報を順次入力する。断面情報生成手段２１４６はこのときキーボード２０２ａからの信号にもとづいて、断面情報を生成し、それを操作者が入力した値としてウインドウＷ３の所定位置に表示すると共に、情報保持手段２１８に格納する。
【００４２】
制御手段２２０は、断面情報生成の終了操作が行われると、次に演算処理情報生成手段２１４２を起動する。演算処理情報生成手段２１４２は、山留めの物理量に関する演算処理の内容に係わる上記１０種類の演算処理情報を生成するが、そのためにまず、表示装置２０４の画面に新たなウインドウをオープンし、そこに操作者の入力操作を促すための、文字を含む画像情報を表示する。操作者はこの表示を見てキーボードあるいはマウスを操作し、”ＹＥＳ”、”ＮＯ”の質問に答えたり、あるいは数値を入力する。演算処理情報生成手段２１４２はこのとき入力装置２０２が出力する信号にもづいて上記１０種類の演算処理情報を生成し、所定の形式で情報保持手段２１８に格納する。
【００４３】
次に、数値情報生成手段２１４４が制御手段２２０によって起動されると、各測定器からの測定データより山留めの物理量を算出するための上記１１種類の数値情報を生成するため、図５に示すように、まず表示装置２０４の画面に新たなウインドウＷ４をオープンし、そこに操作者の入力操作を促すための表を表示する。操作者はキーボード２０２ａを操作して、カーソルＣ２を上下左右に移動させ、表の各欄に必要な数値を入力していく。数値情報生成手段２１４４はこのときキーボード２０２ａから出力される信号にもとづいて、１１種類の数値情報を順次生成し、それを操作者が入力した値として上記表の各欄に表示すると共に、情報保持手段２１８に格納する。
【００４４】
次に、制御手段２２０は管理値情報生成手段２１６を起動する。管理値情報生成手段２１６はまず、情報保持手段２１８から、取得すべき物理量の種類の情報、すなわち測定項目情報を取り出す。そして、表示装置２０４の画面上にウインドウをオープンし、そのウインドウに、上記物理量の名称を表示し、各名称ごとに表形式で、管理値の入力欄を表示する。また、各入力欄には箱形の所定のカーソルを表示する。操作者はこのカーソルをキーボード２０２ａを操作して移動させ、各物理量に対する管理値を、同じくキーボードを操作して入力する。
【００４５】
管理値情報生成手段２１６はこのときキーボード２０２ａが出力する信号にもとづいて、各物理量の管理値情報を生成し、それを操作者が入力した値としてカーソル位置に表示すると共に、情報保持手段２１８に所定の形式で格納する。
【００４６】
このようにして測定情報の生成がすべて終了すると、制御手段は、生成された情報、すなわち、現場情報、平面図情報、測定地点情報、測定項目情報、および処理情報としての断面情報、演算処理情報、ならびに数値情報、さらに管理値情報を第１の情報保持手段２１８から取り出し、それらをすべてデータファイルの形でフロッピーディスク６に格納する。
【００４７】
そして、操作者は、山留めの測定を実際に行うとき、このフロッピーディスクを測定実行システム４に装着し、システム４を起動する。その結果、測定実行システム４の各部は次のように動作する。
第２の制御手段４２４は、システムが起動されると、まずそのことを示す所定の画像を第２の表示装置４０４に表示し、同時に、上記フロッピーディスクから上記すべての情報を読み出して、第２の情報保持手段４０６に格納する。また、フロッピーディスク６から読み出した情報に含まれる現場情報より、現場名などを抽出し、表示装置４０４の画面の上部など、所定位置に表示する。
【００４８】
制御手段４２４は次に測定データ収集手段４０８を起動する。これにより測定データ収集手段４０８は、山留めの各部に設置され、電気的に接続されている各測定器からその測定データを収集し、物理量取得手段４１０に渡す。
物理量取得手段４１０はこの測定データを受け取り、次のようにして物理量を求める。物理量取得手段４１０はまず、情報保持手段４０６から測定項目情報および測定地点情報を取り出し、山留めのどの測定地点でどのような物理量を求めるべきかを認識する。物理量取得手段４１０は次に、情報保持手段４０６から数値情報を取り出し、その情報を用いて、各測定地点ごとに、取得すべき物理量を求める。
【００４９】
具体的に説明すると、上記数値情報には上述のように測定器の識別番号が含まれているので、その識別番号によって、どの測定器からの測定データに対してどの数値情報を用いるかを識別する。そして、各測定データに対して、対応する数値情報を用いて物理量を求める。
その際、物理量取得手段４１０はまず、測定データを、各測定器が測定した物理量の測定値に変換する。すなわち、測定データは測定器の出力電圧の値を表すデータであるため、この電圧データを測定値に変換する必要がある。例えば、測定器が温度計である場合には、測定器の出力電圧データを、温度を表す数値データに変換する。そのため、［数１］の式を用いて、物理量である、測定値を求める。
【００５０】
物理量取得手段４１０はこのようにして求めた測定値から、上記取得すべき各物理量を求める。例えば、物理量として切梁の軸力を求める場合には、切梁に取り付けられた歪み計による測定値を用い、その測定値が表す歪み量に、この歪み計に対応する数値情報である、切梁を構成する鋼材の断面積を乗じて、軸力を求める。
物理量取得手段４１０はさらに、各物理量を求める際、情報保持手段４０６から演算処理情報を取り出し、各測定項目ごとに、すなわち各物理量ごとに、演算処理情報が示す内容の演算処理を行う。例えば、物理量として山留め壁の変形を求める際、演算処理情報のなかに、その物理量に対して、変形分布を計算するときスプライン近似を行うことを示す情報が含まれている場合には、スプライン近似を行って変形分布を計算する。また、物理量として山留め壁の応力を求める際、演算処理情報のなかに、その物理量に対して、モーメントの計算を歪み計あるいは鉄筋計の測定結果によって行うことを示す情報が含まれている場合、それに従って上記応力を求める。
【００５１】
物理量取得手段４１０はまた、例えば、物理量として山留め壁の変形を求めるとき、変形の分布を計算するためには、山留めの断面情報が必要になるが、その場合には情報保持手段４０６に格納されている断面情報を取り出し、変形分布を計算しようとする断面の断面情報を、断面情報に含まれている断面名称によって識別し、その情報を用いて変形分布を算出する。
物理量取得手段４１０はこのようにして、演算処理情報、数値情報、ならびに断面情報を用いて、各測定地点ごとに、取得すべき物理量を順次求め、情報保持手段４１２に格納していく。
【００５２】
その後、制御手段４２４は、平面図表示手段４１４を起動する。起動された平面図表示手段４１４は、情報保持手段４０６が保持している平面図情報を用いて、山留めの平面図を第２の表示装置４０４に表示する。その結果、表示装置４０４の画面には、図２に示した、ウインドウＷ１内の平面図が再現される。
制御手段４２４は次に測定地点表示手段４１６を起動して、この平面図上に測定地点を表示させる。測定地点表示手段４１６は、情報保持手段４０６から測定地点情報および測定項目情報を取り出し、それらの情報を用いて、表示装置４０４に表示された山留めの平面図に重ねて、測定地点情報が示す各位置に、測定項目情報が示す各物理量を表す、略称を含む小長方形の位置表示画像を表示する。その結果、表示装置４０４の表示画像は、図３に示した、ウインドウＷ１内の位置表示画像を含む平面図と同じものとなる。
【００５３】
次に、制御手段４２４は、山留めの状態を表す各物理量が、各物理量の管理値を基準として異常か否かを表示するため、物理量比較手段４２０および管理状態表示手段４２２を起動する。起動された物理量比較手段４２０は、第３の情報保持手段４１２が保持している各物理量と、第２の情報保持手段４０６が保持している、対応する管理値とを比較する。そして、管理状態表示手段４２２は、物理量比較手段４２０による比較結果にもとづいて、測定地点表示手段４１６が第２の表示装置４０４に表示した位置表示画像の色を、物理量の値が異常であった場合には赤とし、正常であった場合には緑とする。このような表示により、山留めの管理者は、山留めのどの位置で、どのような異常が生じているかを、一目で知ることができる。
【００５４】
制御手段４２４は必要に応じて物理量を表示できるようにするため、物理量表示手段４１８を起動する。起動された物理量表示手段４１８は、入力装置４０２のマウスからの信号を常時監視し、マウスの操作によって、第２の表示装置４０４に表示された上記位置表示画像のいずれかが指定されたときは、直ちに、指定された位置表示画像に対応する物理量、従って指定された位置の指定された物理量を第３の情報保持手段４１２から取り出し、表示装置４０４に所定の形式で表示する。
例えば、図３に示した略称ＨＥ−１を含む位置表示画像にマウスのカーソルが合わされ、マウス・ボタンがクリックされた場合、物理量表示手段４１８は表示装置４０４の画面に所定のウインドウをオープンし、図６に示すような表を表示する。この表は、深度と山留め壁の変位を対応づけて示しており、管理者はこの表を見ることにより、各深度ごとの山留め壁の変位を知ることができる。また、このとき管理者が入力装置４０２を操作してグラフ表示を指示した場合には、物理量表示手段４１８は、図７に示すような深度（縦軸）と変位（横軸）との関係を表すグラフを表示する。
【００５５】
制御手段４２４は、測定データ収集手段４０８、物理量取得手段４１０、物理量表示手段４１８、物理量比較手段４２０、ならびに管理状態表示手段４２２を一定の周期で起動する。その結果、一定の周期ごとに、情報保持手段４１２が保持する物理量が更新されるので、管理者は常に新しい情報を取り出して現状を把握することができる。また、管理状態表示手段４２２による物理量の正常／異常の表示も同様に現在の状態を表す新しい表示に更新される。
【００５６】
なお、この実施例では情報伝達手段としてフロッピーディスクを用いたが、フロッピーディスクを用いる代りに、測定情報生成システム２と測定実行システム４とをモデムを通じて電話回線などの通信回線で接続し、情報を伝達するようにすることも可能である。
また、測定実行システム４を山留めの現場に対して遠隔地に設置した場合には、山留めに設置されている測定器と測定実行システム４とを、モデムを通じて電話回線などの通信回線を通じて接続すればよい。
【００５７】
また、数値情報生成手段２１４４が生成する数値情報に、測定器の正常／異常や、測定器の設置日時を表す情報を含めたり、また使用する測定器の型式などの情報も用いるようにして、システムのさらなる充実を図ることも可能である。
本実施例では、平面図情報生成手段２０８によって、操作者がマウスなどを操作して平面図情報を生成するとしたが、市販の作図ソフトで予め作成した平面図情報を、フロッピーディスクなどを介してシステムに取り込むようにすることももちろん可能であり、さらには、イメージスキャナを用いて地図を読み取り、その情報をもとに平面図情報を生成するようにしてもよい。
【００５８】
上述した実施例では、測定情報生成システム２と測定実行システム４とはそれぞれ別のパーソナル・コンピュータによって構成されているとしたが、これらのシステムを１台のパーソナル・コンピュータによって構成することも可能である。その場合には、そのコンピュータの情報保持手段を両システム間の情報伝達手段として用いることになる。
【００５９】
【発明の効果】
以上説明したように本発明の山留め測定データ処理システムでは、その測定情報生成システムが、山留めの物理量を測定するために必要な種々の情報を、第１の入力装置に対して行われた操作にもとづいて生成する。そのため第１の制御手段は各情報生成手段を順次起動し、まず平面図情報生成手段は、山留めの平面図を表す情報を、第１の入力装置からの信号にもとづいて生成する。そして、測定地点情報生成手段は、上記山留めの平面図上における測定地点を表す情報を、第１の入力装置からの前記信号にもとづいて生成し、一方、測定項目情報生成手段は、取得すべき物理量の種類の情報を測定項目情報として、測定地点ごとに、第１の入力装置からの信号にもとづいて生成する。また、処理情報生成手段は、測定地点のそれぞれに配置した各測定器からの測定データより物理量を求めるために用いる処理情報を、第１の入力装置からの信号にもとづいて生成する。
第１の情報保持手段は、各情報生成手段が生成したこれら平面図情報、測定地点情報、測定項目情報、ならびに処理情報を所定の形式で保持する。この第１の情報保持手段が保持している情報は、情報伝達手段を通じて測定実行システムの第２の情報保持手段に渡される。
【００６０】
測定実行システムは、この第２の情報保持手段が保持する情報にもとづいて、山留めの状態を表す物理量を取得する。そのため、第２の制御手段は各部を起動し、まず測定データ収集手段は、山留めの各地点に設置された各測定器から測定データを収集し、物理量取得手段は、第２の情報保持手段が保持している処理情報を用いて、測定データ収集手段が集めた測定データより物理量を求める。第３の情報保持手段は、この物理量取得手段が求めた物理量を所定の形式で保持する。
一方、平面図表示手段は、第２の情報保持手段が保持している平面図情報を用いて、山留めの平面図を第２の表示装置に表示し、測定地点表示手段は、第２の情報保持手段が保持している測定地点情報および測定項目情報を用いて、第２の表示装置に表示された平面図に重ねて、測定地点情報が示す位置に、測定項目情報が示す物理量の種類を表す所定形態の位置表示画像を、第２の表示装置に表示する。
そして、物理量表示手段は、第２の入力装置の操作によって、第２の表示装置に表示された位置表示画像のいずれかが指定されたとき、指定された位置表示画像に対応する物理量を第３の情報保持手段から取り出し、第２の表示装置に所定の形式で表示する。
【００６１】
このように本発明の山留め測定データ処理システムでは、その測定情報生成システムによって、特定の山留めにおいて測定を行うために必要な種々の情報を、操作者の指示にもとづいて生成し、測定実行システムでは、その情報にもとづいて山留めの種々の物理量を測定する。従って、新たな山留めで測定を開始する場合でも、従来のようにプログラムを作成したり修正するといったことは一切不要であり、プログラミングの知識を持たない者でも、測定情報生成システムに対して短時間の操作を行うだけで、新たな山留めにおける測定が可能となる。
【図面の簡単な説明】
【図１】本発明の山留め測定データ処理システムの一例を示す機能ブロック図である。
【図２】図１の山留め測定データ処理システムを構成する平面図情報生成手段によって表示される平面図を示す説明図である。
【図３】図１の山留め測定データ処理システムを構成する測定項目情報生成手段によって山留めの平面図上に表示される測定位置および測定項目を表す図形を示す説明図である。
【図４】図１の山留め測定データ処理システムを構成する断面情報生成手段によって表示される、断面情報入力のための画像を示す説明図である。
【図５】図１の山留め測定データ処理システムを構成する数値情報生成手段によって表示される、数値情報入力のための表画像を示す説明図である。
【図６】図１の山留め測定データ処理システムを構成する物理量表示手段によって表示される表画像を示す説明図である。
【図７】図１の山留め測定データ処理システムを構成する物理量表示手段によって表示されるグラフ画像を示す説明図である。
【符号の説明】
２  測定情報生成システム
４  測定実行システム
６  フロッピーディスク
２０２、４０２  入力装置
２０２ａ、４０２ａ  キーボード
２０２ｂ、４０２ｂ  マウス
２０４、４０４  表示装置
２０６  現場情報生成手段
２０８  平面図情報生成手段
２１０  測定地点情報生成手段
２１２  測定項目情報生成手段
２１４  処理情報生成手段
２１６  管理値情報生成手段
２１８、４０６、４１２  情報保持手段
２２０、４２４  制御手段
４０８  測定データ収集手段
４１０  物理量取得手段
４１４  平面図表示手段
４１６  測定地点表示手段
４１８  物理量表示手段
４２０  物理量比較手段
４２２  管理状態表示手段
２１４２  演算処理情報生成手段
２１４４  数値情報生成手段
２１４６  断面情報生成手段
【図１】
0003641293.tif 000002
【図２】
0003641293.tif 000003
【図３】
0003641293.tif 000004
【図４】
0003641293.tif 000005
【図５】
0003641293.tif 000006
【図６】
0003641293.tif 000007
【図７】
0003641293.tif 000008